(57)【特許請求の範囲】
【請求項１】
照明光源と、
入力電力を前記照明光源に応じた出力電力に変換する電源回路部と、
絶縁性を有し、内部に、前記電源回路部が設けられる収納ケースと、
導電性を有し、内部に、前記収納ケースが設けられる筺体と、
誘電体材料を含み、前記筺体の内壁面であって、前記収納ケースの外壁面と対峙する領域に固着された誘電部と、
導電性を有し、前記誘電部の前記筺体の内壁面側とは反対側の面に固着された導電部と、
を備え、
前記電源回路部の低電位側の出力端子は、前記導電部と電気的に接続されている発光装置。
【請求項２】
照明光源と、
入力電力を前記照明光源に応じた出力電力に変換する電源回路部と、
絶縁性を有し、内部に、前記電源回路部が設けられる収納ケースと、
導電性を有し、内部に、前記収納ケースが設けられる筺体と、
誘電体材料を含み、前記筺体の内壁面であって、前記収納ケースの外壁面と対峙する領域に固着された誘電部と、
導電性を有し、前記誘電部の前記筺体の内壁面側とは反対側の面に固着された導電部と、
を備え、
前記筺体と前記電源回路部との間の浮遊容量は、前記筺体と大地との間の浮遊容量よりも大きい発光装置。
【請求項３】
照明光源と、
入力電力を前記照明光源に応じた出力電力に変換する電源回路部と、
絶縁性を有し、内部に、前記電源回路部が設けられる収納ケースと、
導電性を有し、内部に、前記収納ケースが設けられる筺体と、
導電性を有し、前記収納ケースの外壁面であって、前記筺体の内壁面と対峙する領域に固着された導電部と、
誘電体材料を含み、前記導電部の前記収納ケースの外壁面側とは反対側の面に固着された誘電部と、
を備え、
前記電源回路部の低電位側の出力端子は、前記導電部と電気的に接続されている発光装置。
【請求項４】
照明光源と、
入力電力を前記照明光源に応じた出力電力に変換する電源回路部と、
絶縁性を有し、内部に、前記電源回路部が設けられる収納ケースと、
導電性を有し、内部に、前記収納ケースが設けられる筺体と、
導電性を有し、前記収納ケースの外壁面であって、前記筺体の内壁面と対峙する領域に固着された導電部と、
誘電体材料を含み、前記導電部の前記収納ケースの外壁面側とは反対側の面に固着された誘電部と、
を備え、
前記筺体と前記電源回路部との間の浮遊容量は、前記筺体と大地との間の浮遊容量よりも大きい発光装置。
【請求項５】
照明光源と、
入力電力を前記照明光源に応じた出力電力に変換する電源回路部と、
絶縁性を有し、内部に、前記電源回路部が設けられる収納ケースと、
導電性を有し、内部に、前記収納ケースが設けられる筺体と、
前記照明光源が設けられる基板と、
導電性を有し、前記基板の前記照明光源が設けられる側とは反対側に設けられ、前記筺体と電気的に接続された放熱板と、
誘電体材料を含み、前記放熱板の前記基板側とは反対側の面に固着された誘電部と、
導電性を有し、前記誘電部の前記放熱板側とは反対側の面に固着された導電部と、
を備え、
前記電源回路部の低電位側の出力端子は、前記導電部と電気的に接続されている発光装置。
【請求項６】
照明光源と、
入力電力を前記照明光源に応じた出力電力に変換する電源回路部と、
絶縁性を有し、内部に、前記電源回路部が設けられる収納ケースと、
導電性を有し、内部に、前記収納ケースが設けられる筺体と、
前記照明光源が設けられる基板と、
導電性を有し、前記基板の前記照明光源が設けられる側とは反対側に設けられ、前記筺体と電気的に接続された放熱板と、
誘電体材料を含み、前記放熱板の前記基板側とは反対側の面に固着された誘電部と、
導電性を有し、前記誘電部の前記放熱板側とは反対側の面に固着された導電部と、
を備え、
前記筺体と前記電源回路部との間の浮遊容量は、前記筺体と大地との間の浮遊容量よりも大きい発光装置。
【発明の詳細な説明】
【技術分野】
【０００１】
本発明の実施形態は、発光装置に関する。
【背景技術】
【０００２】
電力の供給に応じて光を出射する照明光源を備えた発光装置がある。  
この様な発光装置には、外部から供給された電力を照明光源に対応した電力に変換する電源回路が設けられている。電源回路は、例えば、スイッチング電源を構成するものである。スイッチング電源は、スイッチング素子を有し、スイッチング素子のオン・オフによって電力を変換する。そのため、スイッチング素子のオン・オフに伴いコモンモードノイズが発生するおそれがある。  
そこで、コモンモードノイズを抑制することができる発光装置の開発が望まれていた。
【先行技術文献】
【特許文献】
【０００３】
【特許文献１】特開２０１２−７９４９８号公報
【発明の概要】
【発明が解決しようとする課題】
【０００４】
本発明が解決しようとする課題は、コモンモードノイズを抑制することができる発光装置を提供することである。
【課題を解決するための手段】
【０００５】
実施形態に係る発光装置は、照明光源と、入力電力を前記照明光源に応じた出力電力に変換する電源回路部と、絶縁性を有し、内部に、前記電源回路部が設けられる収納ケースと、導電性を有し、内部に、前記収納ケースが設けられる筺体と、誘電体材料を含み、前記筺体の内壁面であって、前記収納ケースの外壁面と対峙する領域に固着された誘電部と、導電性を有し、前記誘電部の前記筺体の内壁面側とは反対側の面に固着された導電部と、を備えている。前記電源回路部の低電位側の出力端子は、前記導電部と電気的に接続されている。
【図面の簡単な説明】
【０００６】
【図１】第１の実施形態に係る発光装置１０を例示するための模式断面図である。
【図２】発光装置１０の電気的な構成を例示するためのブロック図である。
【図３】導電部１５および誘電部３０を例示するための模式断面図である。
【図４】導電部１５と出力端子４２ｂとの電気的な接続構造を例示するための模式断面図である。
【図５】第２の実施形態に係る発光装置１００の電気的な構成を例示するためのブロック図である。
【発明を実施するための形態】
【０００７】
以下、図面を参照しつつ、実施の形態について例示をする。なお、各図面中、同様の構成要素には同一の符号を付して詳細な説明は適宜省略する。
【０００８】
（第１の実施形態）
図１は、第１の実施形態に係る発光装置１０を例示するための模式断面図である。  
図１に示すように、発光装置１０には、基板１１、照明光源１６、放熱板１２、口金１８、収納ケース２０、筺体１４、カバー２２、配線３２、電源部１３、導電部１５、および誘電部３０が設けられている。  
図１に例示をした発光装置１０は、いわゆるＬＥＤ電球である。ただし、本発明の実施形態に係る発光装置は、ＬＥＤ電球に限定されるわけではない。
【０００９】
基板１１は、板状を呈する基体１１ａと、基体の表面に設けられた配線パターン１１ｂ１、１１ｂ２を有する。  
基体１１ａの材料や構造には特に限定はない。例えば、基体１１ａは、絶縁性材料から形成することができる。例えば、基体１１ａは、酸化アルミニウムや窒化アルミニウムなどの無機材料（セラミックス）、紙フェノールやガラスエポキシなどの有機材料などから形成することができる。  
なお、照明光源１６の発熱量が多い場合には、放熱の観点から熱伝導率の高い材料を用いて基体１１ａを形成することが好ましい。熱伝導率の高い材料としては、例えば、酸化アルミニウムや窒化アルミニウムなどのセラミックス、高熱伝導性樹脂などを例示することができる。  
また、基体１１ａは、単層であってもよいし、多層であってもよい。  
配線パターン１１ｂ１、１１ｂ２は、例えば、銀や銅などの導電性材料から形成されている。配線パターン１１ｂ１、１１ｂ２は、配線３２を介して電源部１３の電源回路部２８ｂと電気的に接続されている。  
ここで、本明細書において、「電気的に接続」とは、直接接続する場合の他に、他の導電性の部材を介して接続する場合も含むものとする。
【００１０】
照明光源１６は、例えば、発光ダイオード、有機発光ダイオード、レーザダイオードなどとすることができる。  
照明光源１６の光の出射面である上面は、発光装置１０の正面側に向けられており、照明光源１６は、主に、発光装置１０の正面側に向けて光を出射する。  
照明光源１６は、基板１１の上に複数設けられている。  
なお、照明光源１６の数、大きさ、配置などは、例示をしたものに限定されるわけではなく、発光装置１０の大きさや用途などに応じて適宜変更することができる。  
照明光源１６は、配線パターン１１ｂ１、１１ｂ２と電気的に接続されている。  
この場合、複数の照明光源１６が直列接続されていてもよいし、並列接続されていてもよいし、直列接続と並列接続とを組み合わせて接続されていてもよい。
【００１１】
照明光源１６は、例えば、ＣＯＢ（Chip on Board）方式を用いて、配線パターン１１ｂ１、１１ｂ２の上に実装することができる。照明光源１６は、例えば、ワイヤーボンディング法を用いて、配線を介して配線パターン１１ｂ１、１１ｂ２と電気的に接続することもできる。なお、照明光源１６は、例えば、ＰＬＣＣ（Plastic Leaded Chip Carrier）型のように外囲器に収納された状態で配線パターン１１ｂ１、１１ｂ２と電気的に接続することもできる。  
なお、図１に例示をしたものは、ＣＯＢ方式を用いて、複数の照明光源１６が基板１１上に実装された場合である。  
照明光源１６を配線パターン１１ｂ１、１１ｂ２に電気的に接続することで、電源部１３の電源回路部２８ｂと照明光源１６とが電気的に接続される。
【００１２】
また、基板１１上には、枠部２４および封止部２６を設けることができる。  
枠部２４は、枠状を呈し、複数の照明光源１６を囲んでいる。枠部２４は、リフレクタの機能を併せ持つものとすることもできる。枠部２４は、例えば、ＰＢＴ（polybutylene terephthalate）やＰＣ（polycarbonate）などの樹脂から形成することができる。  
なお、枠部２４の形状、大きさ、材料などは例示をしたものに限定されるわけではなく、適宜変更することができる。  
封止部２６は、枠部２４の内側に設けられている。封止部２６は、複数の照明光源１６を覆っている。封止部２６は、例えば、枠部２４の内側に樹脂を充填することで形成することができる。封止部２６は、例えば、シリコーン樹脂などの透光性を有する樹脂から形成することができる。
【００１３】
また、封止部２６には、蛍光体を含めることができる。蛍光体は、例えば、ＹＡＧ系蛍光体（イットリウム・アルミニウム・ガーネット系蛍光体）とすることができる。  
例えば、照明光源１６が青色発光ダイオード、蛍光体がＹＡＧ系蛍光体である場合には、照明光源１６から出射した青色の光によりＹＡＧ系蛍光体が励起され、ＹＡＧ系蛍光体から黄色の蛍光が放射される。そして、青色の光と黄色の光が混ざり合うことで、白色の光が発光装置１０から出射される。なお、蛍光体の種類や照明光源１６の種類は例示をしたものに限定されるわけではなく、発光装置１０の用途などに応じて所望の発光色が得られるように適宜変更することができる。
【００１４】
放熱板１２は、板状を呈し、基板１１と筺体１４との間に設けられている。  
放熱板１２は、筺体１４の基板１１が設けられる側の端部に取り付けられている。  
放熱板１２は、基板１１と対向する第１面１２ａと、第１面１２ａと反対側の第２面１２ｂと、を有する。放熱板１２は、第２面１２ｂで筺体１４の一端を塞ぐように、筺体１４に取り付けられる。放熱板１２の第２面１２ｂは、例えば、筺体１４に接する。これにより、放熱板１２は筺体１４と電気的及び熱的に接続される。従って、放熱板１２の電位は、筺体１４の電位と実質的に同じになる。  
ここで、本明細書において、「熱的に接続」とは、直接接する場合の他に、放熱シートや放熱グリスなどの他の熱伝導性の部材を介して接する場合も含むものとする。
【００１５】
放熱板１２は、導電性と熱伝導性とを有するものとすることができる。  
熱伝導性を有する放熱板１２とすれば、照明光源１６において発生した熱を筺体１４側に放出しやすくなる。  
導電性を有する放熱板１２とすれば、導電性を有する配線パターン１１ｂ１、１１ｂ２と、絶縁性を有する基体１１ａと、導電性を有する放熱板１２とで、浮遊容量を有する擬似的なコンデンサを構成することができる。  
導電性と熱伝導性とを有する放熱板１２は、例えば、アルミニウムや鉄などの金属材料から形成することができる。
【００１６】
口金１８は、収納ケース２０の放熱板１２が設けられる側とは反対側の端部に設けられている。  
図１に例示をした口金１８は、ねじ山を有する筒状のシェル部１８ａと、アイレット部１８ｃと、シェル部１８ａとアイレット部１８ｃとの間に設けられた絶縁部１８ｂを有する。シェル部１８ａ及びアイレット部１８ｃは、導電性を有し、電源回路部２８ｂの入力端子４０ａ、４０ｂと電気的に接続される（図２を参照）。これにより、口金１８を介して入力された入力電力が、電源回路部２８ｂに供給される。絶縁部１８ｂは、絶縁性を有し、シェル部１８ａとアイレット部１８ｃとを電気的に絶縁する。  
口金１８は、例えば、白熱電球が装着されるソケットに取付可能な形状を有するものとすることができる。口金１８は、例えば、ＪＩＳ規格に定められているＥ２６形やＥ１７形などと同様の形状を有するものとすることができる。ただし、口金１８は、例示をした形状に限定されるわけではなく適宜変更することができる。
【００１７】
なお、発光装置１０は、ＬＥＤ電球のため口金１８を有しているが、発光装置が電球型でない場合（例えばＬＥＤモジュール）には、例えば、配線を介して外部からの入力電力を電源回路部２８ｂに供給してもよい。すなわち、発光装置を外部の電源に電気的に接続するための接続部は、例えば、口金でもよいし、配線でもよい。
【００１８】
収納ケース２０は、電源部１３を収納する。  
収納ケース２０の内部には、一対の保持部２０ａが設けられている。一対の保持部２０ａは、互いに対向するようにして設けられている。保持部２０ａには、回路基板２８ａの周縁が差し込まれる溝部２０ａ１が設けられている。そのため、一対の溝部２０ａ１が、互いに対向するようにして設けられている。一対の溝部２０ａ１に回路基板２８ａの周縁部分を差し込むことで、収納ケース２０の内部に回路基板２８ａが保持される（図４を参照）。  
収納ケース２０は、筒状を呈し、筺体１４の内部に設けられている。  
収納ケース２０は、例えば、口金１８側から放熱板１２側に向かうに従い断面寸法が漸増する形状を有したものとすることができる。また、収納ケース２０の軸方向の長さは、筺体１４の軸方向の長さよりも長い。そのため、収納ケース２０の口金１８側の端部は、筺体１４の口金１８側の端部から露出する。  
後述するように、筺体１４は導電性を有する。そのため、口金１８や回路基板２８ａなどと、筺体１４との間の短絡を防止するために、収納ケース２０は、絶縁性を有したものとされている。収納ケース２０は、例えば、絶縁性を有するＰＢＴなどの樹脂や、絶縁性を有するセラミックスなどの無機材料から形成したり、絶縁性を有する樹脂や無機材料などを被覆して形成したりすることができる。
【００１９】
筺体１４は、電源部１３が設けられた収納ケース２０を収納する。  
筺体１４は、筒状を呈し、内部に収納ケース２０を収納する。筺体１４は、例えば、口金１８側から放熱板１２側に向かうに従い断面寸法が漸増する形状を有したものとすることができる。  
筺体１４は、導電性と熱伝導性とを有するものとすることができる。  
熱伝導性を有する筺体１４とすれば、照明光源１６において発生した熱を外部に放出しやすくなる。  
導電性を有する筺体１４とすれば、導電部１５と、誘電部３０と、導電性を有する筺体１４とで、後述する浮遊容量Ｃｓ１を有する擬似的なコンデンサを構成することができる。  
導電性と熱伝導性とを有する筺体１４は、例えば、アルミニウムや鉄などの金属材料から形成することができる。  
筺体１４の外側面には、外方に向けて突出する複数の凸部が設けられている。複数の凸部は、例えば、筺体１４の中心軸から放射状に設けることができる。複数の凸部は、放熱フィンとして機能する。  
このように、筺体１４は、例えば、基板１１や、電源部１３が設けられた収納ケース２０を保持する。また、筺体１４と放熱板１２により、照明光源１６において発生した熱を外部に放出する。
【００２０】
カバー２２は、筺体１４の基板１１が設けられる側の端部に取り付けられている。カバー２２は、複数の照明光源１６を覆っている。カバー２２は、例えば、ドーム状を呈するものとすることができる。カバー２２は、光透過性を有する。カバー２２は、例えば、光拡散性をさらに有していてもよい。カバー２２は、例えば、ガラスや樹脂などから形成することができる。カバー２２は、例えば、いわゆるグローブとすることができる。
【００２１】
配線３２は、放熱板１２に設けられた貫通孔１２ｄを通り、収納ケース２０の内部空間（筺体１４の内部空間）からカバー２２の内部空間に延びている。配線３２の一端は、一対のコネクタ３３ａ、３３ｂを介して基板１１の配線パターン１１ｂ１、１１ｂ２と電気的に接続されている。配線３２の他端は、一対のコネクタ３４ａ、３４ｂを介して電源部１３の電源回路部２８ｂと電気的に接続されている。コネクタ３４ｂは、電源回路部２８ｂの出力端子４２ａ、４２ｂと電気的に接続されている（図２を参照）。これにより、配線３２は、配線パターン１１ｂ１、１１ｂ２と電源回路部２８ｂとを電気的に接続する。換言すれば、配線３２は、基板１１と電源部１３とを電気的に接続する。
【００２２】
電源部１３は、回路基板２８ａと電源回路部２８ｂを有する。  
回路基板２８ａは、絶縁性を有する基体と、基体の上に設けられた配線パターンを有する。  
回路基板２８ａの上には、電源回路部２８ｂが設けられている。  
電源回路部２８ｂは、口金１８から入力された入力電力を照明光源１６に応じた直流の出力電力に変換する。電源回路部２８ｂは、例えば、スイッチング電源を構成するものとすることができる。  
図２は、発光装置１０の電気的な構成を例示するためのブロック図である。  
図２に示すように、電源回路部２８ｂは、一対の入力端子４０ａ、４０ｂと、一対の出力端子４２ａ、４２ｂと、を有する。基体１１ａの実装面には、配線パターン１１ｂ１、１１ｂ２が設けられている。配線パターン１１ｂ１は、発光素子である照明光源１６のアノードと電気的に接続されている。配線パターン１１ｂ２は、発光素子である照明光源１６のカソードと電気的に接続されている。
【００２３】
入力端子４０ａは、例えば、口金１８のアイレット部１８ｃと電気的に接続される。入力端子４０ｂは、例えば、口金１８のシェル部１８ａと電気的に接続される。これにより、各入力端子４０ａ、４０ｂは、口金１８及びソケットなどを介して交流電源４と電気的に接続される。入力端子４０ａ、４０ｂには、交流電源４から供給された交流の入力電力が入力される。交流電源４は、例えば、実効値１００Ｖの交流の商用電源である。
【００２４】
出力端子４２ａ、４２ｂは、照明光源１６と電気的に接続される。出力端子４２ａは、例えば、配線３２及び配線パターン１１ｂ１などを介して照明光源１６のアノードに接続される。出力端子４２ｂは、例えば、配線３２及び配線パターン１１ｂ２などを介して照明光源１６のカソードに接続される。すなわち、出力端子４２ａは、高電位出力端子であり、出力端子４２ｂは、低電位出力端子である。
【００２５】
電源回路部２８ｂは、例えば、フィルタ部４４、ＡＣ−ＤＣコンバータ４６、およびＤＣ−ＤＣコンバータ４８を有する。フィルタ部４４は、入力端子４０ａ、４０ｂと電気的に接続されている。フィルタ部４４は、例えば、インダクタ５０およびコンデンサ５１を有する。インダクタ５０は、入力端子４０ａに直列に接続されている。コンデンサ５１は、入力端子４０ａ、４０ｂに並列に接続されている。フィルタ部４４は、入力端子４０ａ、４０ｂから入力された入力電力のノイズを抑制する。フィルタ部４４は、例えば、入力電力のノーマルモードノイズを抑制する。
【００２６】
ＡＣ−ＤＣコンバータ４６は、フィルタ部４４に接続されている。ＡＣ−ＤＣコンバータ４６は、整流回路５２および平滑コンデンサ５３を有する。整流回路５２は、交流の入力電力を整流し、整流電力に変換する。整流電力は、例えば、脈流電力である。整流回路５２は、例えば、入力電力を全波整流する全波整流器である。整流回路５２は、例えば、半波整流器などでもよい。平滑コンデンサ５３は、整流回路５２から出力された整流電圧を平滑化し、整流電圧を直流電力に変換する。
【００２７】
ＤＣ−ＤＣコンバータ４８は、例えば、スイッチング素子６０、ダイオード６１、インダクタ６２、およびコンデンサ６３を有する。図２に例示をしたＤＣ−ＤＣコンバータ４８は、降圧チョッパ回路である。ＤＣ−ＤＣコンバータ４８は、スイッチング素子６０のオン・オフにより、ＡＣ−ＤＣコンバータ４６から出力された直流電力を絶対値の異なる直流の出力電力に変換する。ＤＣ−ＤＣコンバータ４８は、例えば、ＡＣ−ＤＣコンバータ４６から出力された直流電力を降圧して出力電力に変換する。
【００２８】
ＤＣ−ＤＣコンバータ４８は、出力端子４２ａ、４２ｂと電気的に接続されている。ＤＣ−ＤＣコンバータ４８は、変換した出力電力を出力端子４２ａ、４２ｂに出力する。これにより、出力電力が、照明光源１６に供給され、照明光源１６が点灯する。
【００２９】
ＤＣ−ＤＣコンバータ４８の構成は、例示をしたものに限定されるわけではなく他の構成を有するものとすることもできる。例えば、ＤＣ−ＤＣコンバータ４８は、スイッチング素子６０を有し、スイッチング素子６０のオン・オフによって直流の出力電力を生成することができるものであればよい。また、例えば、入力電力が直流電力である場合には、ＤＣ−ＤＣコンバータ４８のみを電源回路部２８ｂに設けてもよい。すなわち、電源回路部２８ｂは、スイッチング素子６０を有するスイッチング電源であればよい。
【００３０】
ここで、発光装置１０においては、電源回路部２８ｂが雑音源となる。例えば、図２中の矢線Ｎ１で表すように、電源回路部２８ｂと筺体１４との間の浮遊容量、筺体１４と大地との間の浮遊容量、大地、大地と電源回路部２８ｂの入力配線との間の浮遊容量などを介して流れる電流により、コモンモードノイズが発生するおそれがある。  
この場合、雑音電流を発光装置１０の内部で循環させることができれば、コモンモードノイズを抑制することができる。
【００３１】
そこで、発光装置１０においては、導電部１５および誘電部３０を設けて、雑音電流が発光装置１０の内部を循環するようにしている。  
図３は、導電部１５および誘電部３０を例示するための模式断面図である。  
なお、図３は、図１におけるＡ部の模式拡大図である。  
図１、図３に示すように、導電部１５は、筺体１４と対峙して設けられている。  
誘電部３０は、筺体１４と導電部１５との間に設けられている。そのため、導電部１５は、筺体１４と直接接触しない。従って、導電部１５の電位は、筺体１４の電位及び放熱板１２の電位と異なる。これにより、導電部１５と、誘電部３０と、筺体１４とで浮遊容量Ｃｓ１を有する擬似的なコンデンサが構成される。  
導電部１５は、例えば、アルミニウム、銅、ニッケルなどの金属材料から形成することができる。  
誘電部３０は、誘電体材料から形成することができる。誘電部３０は、例えば、樹脂や、セラミックスなどの無機材料などから形成することができる。  
なお、図１および図３に例示をしたものは、導電部１５および誘電部３０が、それぞれ１層ずつ設けられる場合であるが、導電部１５および誘電部３０は複数積層することもできる。
【００３２】
ここで、浮遊容量Ｃｓ１の値を安定させるためには、導電部１５と筺体１４との間の距離が変動しないようにすることが好ましい。  
この場合、例えば、筺体１４の内壁面に誘電部３０を固着し、誘電部３０の上に導電部１５を固着することができる。誘電部３０と導電部１５が筺体１４に固着していれば、導電部１５と筺体１４との間の距離が変動するのを抑制することができる。  
誘電部３０は、例えば、溶剤に溶かした樹脂を筺体１４の内壁面に塗布し、これを乾燥することで形成することができる。誘電部３０は、例えば、スパッタリング法を用いて、筺体１４の内壁面にセラミックスなどの無機材料からなる膜を成膜することで形成することもできる。  
導電部１５は、例えば、メッキ法、あるいは、蒸着法やスパッタリング法などの物理蒸着法などを用いて形成することができる。  
なお、誘電部３０および導電部１５の形成方法は、例示をしたものに限定されるわけではなく、固着させることができるものであればよい。  
なお、膜状の導電部１５を接着剤などで接着することもできる。ただし、膜状の導電部１５を接着剤などで接着すれば、接着剤の塗布量などにより、導電部１５と筺体１４との間の距離がばらつくおそれがある。そのため、導電部１５は、メッキ法や物理蒸着法などの成膜技術を用いて形成することが好ましい。
【００３３】
一方、生産性の観点からは、収納ケース２０の外側面に導電部１５を固着し、導電部１５の上に誘電部３０を固着することが好ましい。  
この様にすれば、導電部１５および誘電部３０の形成を容易とすることができる。  
導電部１５および誘電部３０の形成方法は、筺体１４の内壁面に導電部１５および誘電部３０を形成する場合と同様とすることができる。  
導電部１５および誘電部３０の固着力には特に限定はなく、少なくとも、発光装置１０の使用時や、発光装置１０の製造時（例えば、筺体１４の内部に収納ケース２０を挿入する際など）に、導電部１５および誘電部３０が剥がれない程度であればよい。
【００３４】
導電部１５および誘電部３０の面積には特に限定はないが、導電部１５および誘電部３０の面積を大きくすれば、浮遊容量Ｃｓ１の値を大きくすることができる。浮遊容量Ｃｓ１の値を大きくすることができれば、電源回路部２８ｂからの雑音電流が筺体１４から大地に漏れるのをより抑制することができる。  
導電部１５および誘電部３０を設ける領域は、筺体１４の内部に収納ケース２０を挿入した際に、筺体１４と収納ケース２０が重なる領域とすることができる。この場合、筺体１４と収納ケース２０が重なる全領域に導電部１５および誘電部３０を設けることもできるし、所望の浮遊容量Ｃｓ１の値が得られるように一部の領域に導電部１５および誘電部３０を設けることもできる。
【００３５】
また、導電部１５および誘電部３０を配線３２に沿うように設けることもできる。  
配線３２は、雑音電流源と筺体１４とが最も近接する部分となる。そのため、導電部１５および誘電部３０を配線３２に沿うように設ければ、雑音電流が筺体１４から大地に流れることを効果的に抑制することができる。
【００３６】
また、導電部１５および誘電部３０は、例えば、筺体１４の内壁面または収納ケース２０の外側面に沿った環状を呈するものとすることもできるし、互いに電気的に接続されていれば複数の部分に分かれていたり、スリットなどが設けられていたりしていてもよい。
【００３７】
図２に示すように、導電部１５は、低電位側の出力端子４２ｂと電気的に接続されている。そのため、導電部１５の電位は、電源回路部２８ｂの基準電位と実質的に同じになる。これにより、筺体１４と電源回路部２８ｂとの間の浮遊容量Ｃｓ１を、筺体１４と大地との間の浮遊容量Ｃｓ２よりも大きくすることができる。例えば、浮遊容量Ｃｓ１を浮遊容量Ｃｓ２の１０倍程度にすることができる。
【００３８】
浮遊容量Ｃｓ１、Ｃｓ２は、例えば、擬似電源回路網（ＬＩＳＮ：Line Impedance Stabilization Network）とスペクトラムアナライザとを用いることによって測定することができる。
【００３９】
導電部１５と出力端子４２ｂとの接続方法には特に限定はなく、例えば、配線部材などを介して導電部１５と出力端子４２ｂとを電気的に接続することができる。  
図４は、導電部１５と出力端子４２ｂとの電気的な接続構造を例示するための模式断面図である。  
なお、図４は、図１におけるＢ−Ｂ線断面の模式拡大図である。  
図４に示すように、導電部１５は収納ケース２０の外側面に固着している。また、保持部２０ａの溝部２０ａ１の内部には、導電部１５と電気的に接続された端子部１５ａが設けられている。導電部１５と端子部１５ａとの電気的な接続方法には特に限定はない。例えば、図４に例示をしたように、収納ケース２０を貫通するプラグ１５ｂを介して、導電部１５と端子部１５ａとを電気的に接続することができる。なお、配線部材などを介して導電部１５と端子部１５ａとを電気的に接続することもできる。ただし、プラグ１５ｂを介して、導電部１５と端子部１５ａとを電気的に接続するようにすれば、生産性の向上や、配線部分の小型化などを図ることができる。
【００４０】
また、溝部２０ａ１に回路基板２８ａの周縁部分を差し込んだ際に、端子部１５ａと出力端子４２ｂとが電気的に接続されるようになっている。そのため、溝部２０ａ１に回路基板２８ａの周縁部分を差し込むことで、導電部１５と出力端子４２ｂとを電気的に接続することができる。  
この様にすれば、配線作業を省くことができるので生産性の向上や、配線部分の小型化などを図ることができる。
【００４１】
本実施の形態に係る発光装置１０は、電源回路部２８ｂの低電位側の出力端子４２ｂと電気的に接続された導電部１５を有しているので、筺体１４と電源回路部２８ｂとの間の浮遊容量Ｃｓ１を、筺体１４と大地との間の浮遊容量Ｃｓ２よりも大きくすることができる。  
そのため、電源回路部２８ｂの雑音電流が、筺体１４から大地に漏れ難くすることができる。
【００４２】
例えば、図２中の矢線Ｎ２で表すように、電源回路部２８ｂと筺体１４との間の浮遊容量Ｃｓ１、筺体１４、放熱板１２、放熱板１２と配線パターン１１ｂ１、１１ｂ２との間の浮遊容量Ｃｓ３、配線パターン１１ｂ１、１１ｂ２、および配線３２という経路により、雑音電流を発光装置１０の内部で循環させることができる。そのため、コモンモードノイズを抑制することができる。
【００４３】
また、この様にすれば、例えば、コモンモードチョークコイルなどを用いることなく、コモンモードノイズを抑制することができる。そのため、発光装置の小型化を図ることができる。
【００４４】
（第２の実施形態）
図５は、第２の実施形態に係る発光装置１００の電気的な構成を例示するためのブロック図である。  
図５に示すように、発光装置１００にも導電部１５および誘電部３０が設けられている。  
ただし、発光装置１００においては、放熱板１２の第２面１２ｂに誘電部３０を固着し、誘電部３０の上に導電部１５を固着している。すなわち、導電部１５および誘電部３０は放熱板１２に設けられている。  
なお、発光装置１００における導電部１５および誘電部３０の配置以外の構成は、前述した発光装置１０の構成と実質的に同じである。そのため、導電部１５および誘電部３０の配置以外の構成に関する詳細な説明は省略する。
【００４５】
導電部１５は、誘電部３０を介して放熱板１２の第２面１２ｂに設けられている。すなわち、導電部１５は、放熱板１２に直接接しない。従って、導電部１５の電位は、筺体１４の電位及び放熱板１２の電位と異なる。  
導電部１５の厚みは、前述した発光装置１０に設けられる導電部１５の厚みと実質的に同じにすることができる。  
誘電部３０の厚みは、前述した発光装置１０に設けられる誘電部３０の厚みと実質的に同じにすることができる。  
導電部１５および誘電部３０の形成方法は、前述した発光装置１０に設けられる導電部１５および誘電部３０の形成方法と実質的に同じにすることができる。
【００４６】
導電部１５および誘電部３０の面積には特に限定はないが、導電部１５および誘電部３０の面積を大きくすれば、浮遊容量Ｃｓ３の値を大きくすることができる。浮遊容量Ｃｓ３の値を大きくすることができれば、電源回路部２８ｂからの雑音電流が筺体１４から大地に漏れるのをより抑制することができる。  
導電部１５および誘電部３０を設ける領域は、放熱板１２の第２面１２ｂの全領域とすることもできるし、所望の浮遊容量Ｃｓ３の値が得られるように一部の領域に導電部１５および誘電部３０を設けることもできる。  
浮遊容量Ｃｓ３は、例えば、擬似電源回路網とスペクトラムアナライザとを用いることによって測定することができる。
【００４７】
導電部１５は、低電位側の出力端子４２ｂと電気的に接続されている。そのため、導電部１５の電位は、電源回路部２８ｂの基準電位と実質的に同じになる。これにより、放熱板１２と電源回路部２８ｂとの間の浮遊容量を、筺体１４と大地との間の浮遊容量Ｃｓ２よりも大きくすることができる。前述したように、放熱板１２は、筺体１４と電気的に接続されている。そのため、筺体１４と電源回路部２８ｂとの間の浮遊容量を、筺体１４と大地との間の浮遊容量Ｃｓ２よりも大きくすることができる。  
なお、導電部１５と出力端子４２ｂとの電気的な接続方法は、前述した発光装置１０に設けられる導電部１５の場合と実質的に同じにすることができる。
【００４８】
本実施の形態に係る発光装置１００は、電源回路部２８ｂの低電位側の出力端子４２ｂと電気的に接続された導電部１５を有しているので、筺体１４と電源回路部２８ｂとの間の浮遊容量を、筺体１４と大地との間の浮遊容量Ｃｓ２よりも大きくすることができる。  そのため、電源回路部２８ｂの雑音電流が、筺体１４から大地に漏れ難くすることができる。
【００４９】
例えば、導電部１５、導電部１５と放熱板１２との間の浮遊容量、放熱板１２、放熱板１２と配線パターン１１ｂ１、１１ｂ２との間の浮遊容量Ｃｓ３、配線パターン１１ｂ１、１１ｂ２、および配線３２という経路により、雑音電流を発光装置１０の内部で循環させることができる。そのため、コモンモードノイズを抑制することができる。
【００５０】
以上に説明したように、導電部１５および誘電部３０は、筺体１４の内壁面、収納ケース２０の外側面、および放熱板１２の第２面１２ｂの少なくともいずれかに設けるようにすることができる。  
この場合、導電部１５および誘電部３０が、筺体１４の内壁面や放熱板１２の第２面１２ｂに設けられていれば、導電部１５と筺体１４（放熱板１２）との間の距離が変動するのを抑制することができる。そのため、浮遊容量の値を安定させることができる。  
一方、導電部１５および誘電部３０が、収納ケース２０の外側面や放熱板１２の第２面１２ｂに設けられていれば、導電部１５および誘電部３０の形成を容易とすることができる。  
また、導電部１５および誘電部３０が、筺体１４の内壁面や収納ケース２０の外側面に設けられていれば、導電部１５および誘電部３０の面積を大きくすることができる。そのため、浮遊容量Ｃｓ１の値を大きくすることができるので、電源回路部２８ｂからの雑音電流が筺体１４から大地に漏れるのをより抑制することができる。
【００５１】
以上、本発明のいくつかの実施形態を例示したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更などを行うことができる。これら実施形態やその変形例は、発明の範囲や要旨に含まれるとともに、特許請求の範囲に記載された発明とその均等の範囲に含まれる。また、前述の各実施形態は、相互に組み合わせて実施することができる。
【符号の説明】
【００５２】
４…交流電源、  １０、１００…発光装置、  １１…基板、  １１ｂ１、１１ｂ２  配線パターン、  １２…放熱板、  １３…電源部、  １４…筺体、  １５…導電部、  １６…照明光源、  １８…口金、  ２０…収納ケース、  ２８ａ…回路基板、  ２８ｂ…電源回路部、  ３０…誘電部、  ４０ａ、４０ｂ…入力端子、  ４２ａ、４２ｂ…出力端子、  ４４…フィルタ部、  ４６…ＡＣ−ＤＣコンバータ、  ４８…ＤＣ−ＤＣコンバータ、  ６０…スイッチング素子
【図１】
0006493734.tif 000002
【図２】
0006493734.tif 000003
【図３】
0006493734.tif 000004
【図４】
0006493734.tif 000005
【図５】
0006493734.tif 000006